(57)【要約】【課題】利用者の人的ミスを低減することにより、燃料供給作業時における安全性の向上を図る。【解決手段】燃料供給作業者が所定箇所に接触することによって、当該燃料供給作業者に帯電している静電気が除去されたか否かを判断し、判断された結果に基づいて、燃料供給システム１００が燃料の供給を許可する燃料供給許可信号を生成する。そして、生成された燃料供給許可信号を燃料供給システム１００へ送信する。このように、燃料供給作業者による静電気除去対策がおこなわれるまで、燃料の供給を禁止することにより、燃料供給作業時における安全性の向上を図る。【選択図】図１
2008150090.tif 000002
【特許請求の範囲】
【請求項１】
燃料供給作業者が所定箇所に接触することによって、当該燃料供給作業者に帯電している静電気を除去する静電気除去装置を備えた燃料供給システムの制御をコンピュータに実行させる燃料供給制御プログラムであって、
前記燃料供給作業者が前記所定箇所に接触したことを検知させる検知工程と、
前記検知工程によって検知された結果に基づいて、前記燃料供給システムが燃料の供給を許可する燃料供給許可信号を生成させる生成工程と、
前記生成工程によって生成された燃料供給許可信号を前記燃料供給システムへ送信させる送信工程と、
を前記コンピュータに実行させることを特徴とする燃料供給制御プログラム。
【請求項２】
燃料キャップに設けられたＩＣタグの情報を取得させる取得工程を前記コンピュータに実行させ、
前記生成工程は、
前記取得工程によって取得された情報のうち、受給可能な燃料の種類に関する情報に基づいて、所定の種類の燃料のみの供給を許可する燃料供給許可信号を生成させることを特徴とする請求項１に記載の燃料供給制御プログラム。
【請求項３】
前記燃料供給作業者が所定箇所に接触する行為と連動して入力された、当該燃料供給作業者に関する認証情報を取得させる認証情報取得工程と、
前記認証情報取得工程によって取得された認証情報を含む利用者識別情報を、前記燃料供給作業者を認証する認証サーバに送信させる認証情報送信工程と、
前記認証情報送信工程によって前記利用者識別情報が送信された結果、前記認証サーバから前記燃料供給作業者の認証結果を受信させる受信工程と、
を前記コンピュータに実行させ、
前記生成工程は、
前記受信工程によって前記燃料供給作業者の正当性を証明する認証結果が受信され、かつ、前記検知工程によって前記燃料供給作業者が前記所定箇所に接触したことが検知された場合に、前記燃料供給許可信号を生成させることを特徴とする請求項１または２に記載の燃料供給制御プログラム。
【請求項４】
車両の給油口に対する前記燃料キャップの脱着を検知させる脱着検知工程と、
前記脱着検知工程によって前記燃料キャップの脱着が検知された時点で、前記検知工程によって前記燃料供給作業者が前記所定箇所に接触したことが検知されていない場合、前記燃料供給作業者に静電気の除去を促す情報を報知させる報知工程と、
を前記コンピュータに実行させることを特徴とする請求項２または３に記載の燃料供給制御プログラム。
【請求項５】
前記車両の給油口に対する前記燃料キャップの装着を検知させる装着検知工程と、
前記装着検知工程によって前記燃料キャップの装着が検知された場合、前記燃料の供給に関する料金の精算を許可する精算許可信号を生成させる精算許可信号生成工程と、
前記精算許可信号生成工程によって生成された精算許可信号を前記燃料供給システムへ送信させる精算許可信号送信工程と、
を前記コンピュータに実行させることを特徴とする請求項４に記載の燃料供給制御プログラム。
【請求項６】
請求項１〜５のいずれか一つに記載の燃料供給制御プログラムを記録した前記コンピュータに読み取り可能な記録媒体。
【請求項７】
燃料供給作業者が所定箇所に接触することによって、当該燃料供給作業者に帯電している静電気を除去する静電気除去装置を備えた燃料供給システムを制御する燃料供給システム制御装置であって、
前記燃料供給作業者が前記所定箇所に接触したことを検知する検知手段と、
前記検知手段によって検知された結果に基づいて、前記燃料供給システムが燃料の供給を許可する燃料供給許可信号を生成する生成手段と、
前記生成手段によって生成された燃料供給許可信号を前記燃料供給システムへ送信する送信手段と、
を備えたことを特徴とする燃料供給システム制御装置。
【請求項８】
燃料供給作業者が所定箇所に接触することによって、当該燃料供給作業者に帯電している静電気を除去する静電気除去装置を備えた燃料供給システムを制御する燃料供給システム制御方法であって、
前記燃料供給作業者が前記所定箇所に接触したことを検知する検知工程と、
前記検知工程によって検知された結果に基づいて、前記燃料供給システムが燃料の供給を許可する燃料供給許可信号を生成する生成工程と、
前記生成工程によって生成された燃料供給許可信号を前記燃料供給システムへ送信する送信工程と、
を含んだことを特徴とする燃料供給システム制御方法。
【発明の詳細な説明】
【技術分野】
【０００１】
この発明は、人体に帯電している静電気を除去する燃料供給制御プログラム、該プログラムを記録した記録媒体、燃料供給システム制御装置および燃料供給システム制御方法に関する。
【背景技術】
【０００２】
従来より、フルサービス式、セルフサービス式を問わずガソリンスタンドでは、ユーザの人的ミスが原因となり、様々な事故および経済的損失が発生している。たとえば、ディーゼル車にガソリンを給油するなどの誤給油が原因となり、エンジントラブルや車両火災などが発生している。また、燃料タンクからの燃料の抜き取り作業などのオーバーホールが必要となることが多く、それにともなう無駄な作業労力の消費を招いていた。
【０００３】
特に、急速に増加しつつあるセルフサービス式のガソリンスタンドにおいては、安全意識の低い利用者によって給油作業がおこなわれることが多い。このため、人的ミスが原因となり発生する経済的損失が増大しており、人的ミスの削減が重要な課題となっている。
【０００４】
近年、このような人的ミスを防止するために様々な対策がおこなわれている。たとえば、車両の適宜位置に設けられた油種コードを読み取ることによって、読み取られた油種のみを給油する給油システムが提供されている（たとえば、下記特許文献１参照。）。これによれば、油種コードによって読み取られた油種のみの給油がおこなわれることとなり、誤給油を防止することができる。
【０００５】
【特許文献１】特開平０９−８６５９７号公報
【発明の開示】
【発明が解決しようとする課題】
【０００６】
しかしながら、上述した特許文献１の従来技術では、燃料キャップの取り外し時に、利用者に帯電している静電気が原因となり発生する静電気火災については依然として防止することができないという問題があった。
【０００７】
さらに、給油後における燃料キャップの閉め忘れによる燃料漏れ、およびそれにともなう車両火災についても依然として防止することができないという問題があった。
【０００８】
一般に、これらの人的ミスを削減するため、たとえば、静電気対策および燃料キャップの閉め忘れについての注意書きを設けることによって利用者の注意喚起を促している。具体的には、『給油口を開ける前に静電気対策をおこないましょう。』などの注意書きが給油装置の所定の位置に設けられている。
【０００９】
しかしながら、このような注意書きに気付かない利用者、あるいは、注意書きに気付いたとしても従わない利用者にとっては、意味の無いものとなっていた。特に、静電気対策については、燃料キャップの取り外し前におこなう必要があるため、事前に利用者に注意喚起することが難しく、依然として静電気火災を防止することができないという問題があった。
【００１０】
この発明は、上述した従来技術による問題点を解消するため、人体に帯電している静電気を適切に除去することができる燃料供給制御プログラム、該プログラムを記録した記録媒体、燃料供給システム制御装置および燃料供給システム制御方法を提供することを目的とする。
【課題を解決するための手段】
【００１１】
上述した課題を解決し、目的を達成するため、この発明にかかる燃料供給制御プログラム、該プログラムを記録した記録媒体、燃料供給システム制御装置および燃料供給システム制御方法は、燃料供給作業者が所定箇所に接触することによって、当該燃料供給作業者に帯電している静電気を除去する静電気除去装置を備えた燃料供給システムを制御する燃料供給制御プログラム、該プログラムを記録した記録媒体、燃料供給システム制御装置および燃料供給システム制御方法であって、前記燃料供給作業者が前記所定箇所に接触したことを検知し、検知された結果に基づいて、前記燃料供給システムが燃料の供給を許可する燃料供給許可信号を生成し、生成された燃料供給許可信号を前記燃料供給システムへ送信することを特徴とする。
【００１２】
この発明によれば、燃料供給作業者による静電気除去装置の利用が検知されるまで、燃料供給システムにおける燃料の供給を禁止することができる。
【００１３】
また、上記発明において、燃料キャップに設けられたＩＣタグの情報を取得し、取得された情報のうち、受給可能な燃料の種類に関する情報に基づいて、所定の種類の燃料のみの供給を許可する燃料供給許可信号を生成することとしてもよい。
【００１４】
この発明によれば、燃料の種類を指定する燃料供給作業者の入力操作を必要とすることなく、車両に応じた適切な種類の燃料の供給を許可することができる。
【００１５】
また、上記発明において、前記燃料供給作業者が所定箇所に接触する行為と連動して入力された、当該燃料供給作業者に関する認証情報を取得し、取得された認証情報を含む利用者識別情報を、前記燃料供給作業者を認証する認証サーバに送信し、前記利用者識別情報が送信された結果、前記認証サーバから前記燃料供給作業者の正当性を証明する認証結果が受信され、かつ、前記燃料供給作業者が前記所定箇所に接触したことが検知された場合に、前記燃料供給許可信号を生成することとしてもよい。
【００１６】
この発明によれば、認証情報を入力する燃料供給作業者の一連の動作中に、当該燃料供給作業者に静電気除去装置を利用させることができる。
【００１７】
また、上記発明において、車両の給油口に対する前記燃料キャップの脱着を検知し、前記燃料キャップの脱着が検知された時点で、前記燃料供給作業者が前記所定箇所に接触したことが検知されていない場合、前記燃料供給作業者に静電気の除去を促す情報を報知することとしてもよい。
【００１８】
この発明によれば、燃料キャップの脱着前に、燃料供給作業者による静電気除去装置の利用が検知されなかった場合、その都度、静電気が除去されていない旨を燃料供給作業者に報知することができる。
【００１９】
また、上記発明において、前記燃料キャップの装着が検知された場合、前記燃料の供給に関する料金の精算を許可する精算許可信号を生成し、生成された精算許可信号を前記燃料供給システムへ送信することとしてもよい。
【００２０】
この発明によれば、燃料キャップの装着前に、燃料の供給に関する料金の精算がおこなわれることを防ぐことができる。
【発明の効果】
【００２１】
本発明にかかる燃料供給制御プログラム、該プログラムを記録した記録媒体、燃料供給システム制御装置および燃料供給システム制御方法によれば、人体に帯電している静電気を適切に除去することができるという効果を奏する。
【発明を実施するための最良の形態】
【００２２】
以下に添付図面を参照して、この発明にかかる燃料供給制御プログラム、該プログラムを記録した記録媒体、燃料供給システム制御装置および燃料供給システム制御方法の好適な実施の形態を詳細に説明する。
【００２３】
（燃料供給システムのシステム構成）
まず、この発明の実施の形態にかかる燃料供給システムのシステム構成について説明する。図１は、この発明の実施の形態にかかる燃料供給システム１００のシステム構成図である。図１において、燃料供給システム１００は、給油装置１０１と、認証サーバ１０２とが、ネットワーク１１０を介して通信可能に接続されている。
【００２４】
給油装置１０１は、レギュラーガソリン、ハイオクガソリンおよび軽油などの燃料を車両に供給するコンピュータ装置である。給油装置１０１には、支払い方法、油種および給油量に関する利用者の入力操作を受け付ける操作パネル５０８（図５参照）が備えられている。
【００２５】
また、給油装置１０１には、利用者の生体情報を入力する生体情報センサ１０３が搭載されている。生体情報センサ１０３に入力される生体情報は、利用者を特定するための情報であり、たとえば、各利用者の指紋や静脈など個人によって異なる身体上の特徴を示す情報である。利用者によって入力された生体情報は、給油装置１０１から認証サーバ１０２に送信され、その利用者の正当性の認証に用いられる。
【００２６】
この生体情報センサ１０３には、利用者の身体の一部（たとえば、指先）が接触することにより、当該利用者に帯電している静電気を除去する静電気除去板（図２に示す支持板２０２，２０３）が備え付けられている。利用者は、生体情報の入力時に身体の一部が静電気除去板に接触することとなり、意識することなく自身に帯電する静電気を除去することができる。生体情報センサ１０３の詳細については図２を用いて後述する。
【００２７】
また、給油装置１０１は、車両の燃料キャップがキャップ置場に載置されたか否かを検知するキャップセンサ７３０（図７参照）が搭載されている。給油装置１０１は、このキャップセンサ７３０により、燃料キャップがキャップ置場に載置されたことが検知された場合、燃料キャップに設けられたＩＣチップから車両情報を取得する。
【００２８】
具体的には、車両の給油口を閉鎖する燃料キャップには、ＲＦＩＤ（Ｒａｄｉｏ  Ｆｒｅｑｕｅｎｃｙ  Ｉｄｅｎｔｉｆｉｃａｔｉｏｎ）タグが設けられている。このＲＦＩＤタグには、たとえば、利用者の識別情報、給油に関する各種情報などが記録されている。
【００２９】
そして、給油装置１０１は、燃料キャップに設けられているＲＦＩＤタグと電波による非接触通信をおこなうことによって車両情報を取得することができる。ＲＦＩＤタグの詳細については図３を用いて後述する。
【００３０】
認証サーバ１０２は、認証情報ＤＢ１０４を備えており、給油装置１０１の利用者を認証する。認証サーバ１０２は、給油装置１０１から送信されてくる認証情報と、認証情報ＤＢ１０４に登録されている認証情報とを照合することにより、給油装置１０１の利用者を認証することができる。認証情報ＤＢ１０４の詳細については図４を用いて後述する。
【００３１】
なお、燃料供給システム１００を構成する給油装置１０１および認証サーバ１０２の機能的構成については図７を用いて後述する。
【００３２】
（生体情報センサ１０３の具体例）
つぎに、給油装置１０１に搭載されている生体情報センサ１０３について説明する。図２は、生体情報センサ１０３の一例を示す説明図である。図２において、生体情報センサ１０３は、非接触型の手のひら静脈センサであり、手のひらを走る静脈の静脈パターンを利用者の手のひらから取得する。
【００３３】
利用者は、生体情報センサ１０３の読取面２０１に手のひらをかざすことにより、自身の生体情報を入力することができる。具体的には、生体情報センサ１０３は、近赤外線を利用して読取面２０１上方の手のひらを撮影し、当該手のひらの静脈パターンを生体情報２１０として抽出する。生体情報センサ１０３に入力された生体情報（たとえば、生体情報２１０）は、後述する燃料供給システム制御装置７００の認証情報取得部７０５（図７参照）に送信される。
【００３４】
また、利用者が生体情報センサ１０３の読取面２０１に手のひらをかざすときには、２つの支持板２０２，２０３によって利用者の指先および手首などが支持されることとなる。この支持板２０２，２０３は、たとえば、導電性を有した金属板などであり、アース線２０４を介してグラウンドに接地されている。
【００３５】
このため、利用者が生体情報の入力をおこなうときには、意識することなく指先や手首が支持板２０２，２０３に接触することとなり、自身に帯電している静電気が支持板２０２，２０３を介して放電される。したがって、利用者は、燃料供給作業時に必要となる静電気除去作業を、生体情報の入力行為にともなう一連の動作の中でおこなうことができる。
【００３６】
また、生体情報センサ１０３は、支持板２０２，２０３の少なくともいずれか一方に利用者の身体の一部が接触したか否かを検知することができる。具体的には、たとえば、生体情報センサ１０３は、利用者の身体の一部が支持板２０２，２０３に触れることによって変化する力やトルクから接触を検知する。
【００３７】
あるいは、利用者の身体の一部が支持板２０２，２０３に触れることによって変化する支持板２０２，２０３の表面温度の変化から接触を検知することとしてもよい。なお、生体情報センサ１０３によって検知された支持板２０２，２０３に接触したか否かの検知結果は、後述する燃料供給システム制御装置７００の検知部７０１（図７参照）に送信される。
【００３８】
（ＲＦＩＤタグの記憶内容）
つぎに、燃料キャップに設けられているＲＦＩＤタグの記憶内容について説明する。図３は、ＲＦＩＤタグ３００の記憶内容を示す説明図である。図３において、ＲＦＩＤタグ３００は、利用者を識別するための利用者ＩＤ、車両に供給する燃料の油種およびその給油量、精算料金の支払い方法およびガソリンスタンドの会員ＩＤを格納している。
【００３９】
油種は、たとえば、レギュラーガソリン、ハイオクガソリンおよび軽油などに分類される。また、給油量は、供給する燃料の分量を指定するものであり、金額指定、リットル指定および満タン指定などに分類される。支払い方法は、たとえば、現金払い、クレジットカード払いなどに分類される。また、会員ＩＤは、各ガソリンスタンドで提供されるサービスの会員であること示す識別情報である。
【００４０】
ここでは、利用者ＩＤ「Ａ−０１２３４」によって識別される利用者の車両情報として、油種／給油量「レギュラー／満タン」、支払い方法「クレジットカード」、会員ＩＤ「０２−Ｆ００７８」が格納されている。これらの情報をＲＦＩＤタグ３００から給油装置１０１に送信することにより、燃料供給作業時に必要となる油種、給油量および支払い方法などに関する利用者の入力操作が不要となる。さらに、会員ＩＤもあわせて送信されるため、利用者がサービスの会員であることを示す会員カードなどを提示する必要がない。
【００４１】
（認証情報ＤＢの記憶内容）
つぎに、認証サーバ１０２に備えられている認証情報ＤＢ１０４の記憶内容について説明する。図４は、認証情報ＤＢ１０４の記憶内容を示す説明図である。図４において、認証情報ＤＢ１０４は、利用者を識別するための利用者ＩＤ、その利用者の手のひらの静脈画像およびクレジットカード番号を格納している。
【００４２】
具体的には、たとえば、認証情報ＤＢ１０４には、利用者ＩＤ「Ａ−０１２３４」の利用者について、静脈画像２１０とクレジットカード番号「１２３４−１２３４−１２３４−××××」とが格納されている。
【００４３】
（コンピュータ装置のハードウェア構成）
つぎに、図１に示したコンピュータ装置（給油装置１０１）のハードウェア構成について説明する。図５は、コンピュータ装置のハードウェア構成を示すブロック図である。図５において、コンピュータ装置は、ＣＰＵ５０１と、ＲＯＭ５０２と、ＲＡＭ５０３と、ＨＤＤ（ハードディスクドライブ）５０４と、ＨＤ（ハードディスク）５０５と、ディスプレイ５０６と、Ｉ／Ｆ（インターフェース）５０７と、操作パネル５０８と、プリンタ５０９と、各種センサ５１０とを備えている。また、各構成部は、バス５００によってそれぞれ接続されている。
【００４４】
ここで、ＣＰＵ５０１は、コンピュータ装置の全体の制御を司る。ＲＯＭ５０２は、ブートプログラムなどのプログラムを記録している。ＲＡＭ５０３は、ＣＰＵ５０１のワークエリアとして使用される。ＨＤＤ５０４は、ＣＰＵ５０１の制御にしたがってＨＤ５０５に対するデータのリード／ライトを制御する。ＨＤ５０５は、ＨＤＤ５０４の制御で書き込まれたデータを記憶する。
【００４５】
ディスプレイ５０６は、カーソル、アイコンあるいはツールボックスをはじめ、文書、画像、機能情報などのデータを表示する。このディスプレイ５０６には、たとえば、ＣＲＴ、ＴＦＴ液晶ディスプレイ、プラズマディスプレイなどを採用することができる。
【００４６】
Ｉ／Ｆ５０７は、通信回線を通じてインターネットなどのネットワーク１１０に接続され、このネットワーク１１０を介して他の装置に接続される。そして、Ｉ／Ｆ５０７は、ネットワーク１１０と内部のインターフェースを司り、外部装置からのデータの入出力を制御する。Ｉ／Ｆ５０７には、たとえばモデムやＬＡＮアダプタなどを採用することができる。
【００４７】
操作パネル５０８は、文字、数字、各種指示などの入力のためのキーを備え、データの入力をおこなう。また、タッチパネル式の入力パッドやテンキーなどであってもよい。プリンタ５０９は、画像データや文書データを印刷する。プリンタ５０９には、たとえば、レーザプリンタやインクジェットプリンタなどを採用することができる。
【００４８】
各種センサ５１０は、上述した生体情報センサ１０３やキャップセンサ７３０（図７参照）などである。各種センサ５１０は、コンピュータ装置と同一筐体に設けられていてもよく、また、別体に設けられていてもよい。この各種センサ５１０からの出力値は、ＣＰＵ５０１による各種処理に用いられることとなる。
【００４９】
（認証サーバ１０２のハードウェア構成）
つぎに、図１に示した認証サーバ１０２のハードウェア構成について説明する。図６は、認証サーバ１０２のハードウェア構成を示すブロック図である。図６において、認証サーバ１０２は、ＣＰＵ６０１と、ＲＯＭ６０２と、ＲＡＭ６０３と、ＨＤＤ（ハードディスクドライブ）６０４と、ＨＤ（ハードディスク）６０５と、ＦＤＤ（フレキシブルディスクドライブ）６０６と、着脱可能な記録媒体の一例としてのＦＤ（フレキシブルディスク）６０７と、ディスプレイ６０８と、Ｉ／Ｆ（インターフェース）６０９と、キーボード６１０と、マウス６１１と、スキャナ６１２と、プリンタ６１３と、を備えている。また、各構成部はバス６００によってそれぞれ接続されている。
【００５０】
ここで、ＣＰＵ６０１は、認証サーバ１０２の全体の制御を司る。ＲＯＭ６０２は、ブートプログラムなどのプログラムを記憶している。ＲＡＭ６０３は、ＣＰＵ６０１のワークエリアとして使用される。ＨＤＤ６０４は、ＣＰＵ６０１の制御にしたがってＨＤ６０５に対するデータのリード／ライトを制御する。ＨＤ６０５は、ＨＤＤ６０４の制御で書き込まれたデータを記憶する。
【００５１】
ＦＤＤ６０６は、ＣＰＵ６０１の制御にしたがってＦＤ６０７に対するデータのリード／ライトを制御する。ＦＤ６０７は、ＦＤＤ６０６の制御で書き込まれたデータを記憶したり、ＦＤ６０７に記憶されたデータを認証サーバ１０２に読み取らせたりする。
【００５２】
また、着脱可能な記録媒体として、ＦＤ６０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。ディスプレイ６０８は、カーソル、アイコンあるいはツールボックスをはじめ、文書、画像、機能情報などのデータを表示する。このディスプレイ６０８は、たとえば、ＣＲＴ、ＴＦＴ液晶ディスプレイ、プラズマディスプレイなどを採用することができる。
【００５３】
Ｉ／Ｆ６０９は、通信回線を通じてインターネットなどのネットワーク１１０に接続され、このネットワーク１１０を介して他の装置に接続される。そして、Ｉ／Ｆ６０９は、ネットワーク１１０と内部のインターフェースを司り、外部装置からのデータの入出力を制御する。Ｉ／Ｆ６０９には、たとえばモデムやＬＡＮアダプタなどを採用することができる。
【００５４】
キーボード６１０は、文字、数字、各種指示などの入力のためのキーを備え、データの入力をおこなう。また、タッチパネル式の入力パッドやテンキーなどであってもよい。マウス６１１は、カーソルの移動や範囲選択、あるいはウィンドウの移動やサイズの変更などをおこなう。ポインティングデバイスとして同様に機能を備えるものであれば、トラックボールやジョイスティックなどであってもよい。
【００５５】
スキャナ６１２は、画像を光学的に読み取り、コンピュータ装置内に画像データを取り込む。なお、スキャナ６１２は、ＯＣＲ機能を持たせてもよい。また、プリンタ６１３は、画像データや文書データを印刷する。プリンタ６１３には、たとえば、レーザプリンタやインクジェットプリンタを採用することができる。
【００５６】
（給油装置１０１および認証サーバ１０２の機能的構成）
つぎに、この発明の実施の形態にかかる燃料供給システム１００を構成する給油装置１０１および認証サーバ１０２の機能的構成について説明する。図７は、この発明の実施の形態にかかる給油装置１０１および認証サーバ１０２の機能的構成を示すブロック図である。
【００５７】
図７において、給油装置１０１は、燃料供給システム制御装置７００と、生体情報センサ１０３と、キャップセンサ７３０と、から構成されている。燃料供給システム制御装置７００は、燃料供給作業者が所定箇所に接触することによって、当該燃料供給作業者に帯電している静電気を除去する静電気除去装置を備えた燃料供給システム１００を制御する。
【００５８】
燃料供給システム制御装置７００は、検知部７０１と、生成部７０２と、送信部７０３と、取得部７０４と、認証情報取得部７０５と、受信部７０６と、着脱検知部７０７と、報知部７０８と、から構成されている。
【００５９】
検知部７０１は、燃料供給作業者が所定箇所に接触したことを検知する機能を有する。具体的には、検知部７０１は、生体情報センサ１０３（図２参照）から送信されてくる検知結果に基づいて、燃料供給作業者が所定箇所に接触したことを検知する。より具体的には、たとえば、検知部７０１は、燃料供給作業者による生体情報センサ１０３の支持板２０２，２０３への接触を示す検知結果を受信した場合に、燃料供給作業者による所定箇所への接触を検知することとしてもよい。
【００６０】
また、検知部７０１は、燃料供給作業者による所定箇所への接触を検知するセンサであってもよく、また、所定箇所から一定範囲内に存在する物体を検知するセンサであってもよい。たとえば、所定箇所表面の静電容量の変化量を測定し、その変化量が所定の閾値よりも大きくなった場合に、燃料供給作業者が所定箇所に接触したことを検知することとしてもよい。
【００６１】
なお、静電気除去装置は、生体情報センサ１０３の支持板２０２，２０３および支持板２０２，２０３に接続されたアース線２０４に相当する（図２参照）。また、静電気除去装置は、ポリエステルおよびポリアミドからなる下地表面に、導電性を有するポリピロールの共重合体などを反応させたシートを有するものであってもよい。
【００６２】
燃料供給作業者は、支持板２０２，２０３または上記シートに身体の一部を接触させることにより、自身に帯電している静電気を除去することができる。なお、検知部７０１によって検知された検知結果は、ＲＯＭ５０２やＲＡＭ５０３などのメモリに記憶される。
【００６３】
生成部７０２は、検知部７０１によって検知された結果に基づいて、燃料供給システム１００が燃料の供給を許可する燃料供給許可信号を生成する機能を有する。具体的には、生成部７０２は、ＲＯＭ５０２やＲＡＭ５０３などのメモリに記憶されている検知結果を読み出し、その検知結果に基づいて燃料の供給を許可する燃料供給許可信号を生成する。
【００６４】
より具体的には、たとえば、生成部７０２は、検知部７０１によって燃料供給作業者による所定箇所への接触が検知された場合に燃料供給許可信号を生成する。なお、生成部７０２によって生成された燃料供給許可信号は、ＲＯＭ５０２やＲＡＭ５０３などのメモリに記憶される。
【００６５】
送信部７０３は、生成部７０２によって生成された燃料供給許可信号を燃料供給システム１００へ送信する機能を有する。具体的には、送信部７０３は、ＲＯＭ５０２やＲＡＭ５０３などのメモリに記憶されている燃料供給許可信号を読み出して、当該燃料供給許可信号を燃料供給システム１００へ送信する。
【００６６】
より具体的には、たとえば、送信部７０３は、給油装置１０１での燃料の供給を制御する図示しない燃料供給制御部に燃料供給許可信号を送信する。そして、燃料供給システム１００へ燃料供給許可信号が送信された結果、燃料供給システム１００における燃料供給作業者による燃料の供給が可能となる。
【００６７】
たとえば、燃料供給システム１００へ燃料供給許可信号が送信された結果、燃料供給制御部により、給油装置１０１に搭載されている給油ノズルのロックが解除され、燃料の供給が可能な状態となる。また、燃料供給システム１００へ燃料供給許可信号が送信された結果、燃料供給制御部により、給油ノズルの操作レバーの電気的な接続が無効から有効に切り換えられ、燃料の供給が可能な状態となる。
【００６８】
取得部７０４は、燃料キャップに設けられたＩＣタグの情報を取得する機能を有する。具体的には、たとえば、車両の給油口を閉鎖する燃料キャップにはＲＦＩＤタグ３００（図３参照）が設けられている。取得部７０４は、このＲＦＩＤタグ３００と電波による非接触通信をおこなうことにより、車両情報を取得する。取得部７０４によって取得された車両情報は、ＲＯＭ５０２やＲＡＭ５０３などのメモリに記憶される。
【００６９】
また、生成部７０２は、取得部７０４によって取得された情報のうち、受給可能な燃料の種類に関する情報に基づいて、所定の種類の燃料のみの供給を許可する燃料許可信号を生成する機能を有する。具体的には、生成部７０２は、ＲＯＭ５０２やＲＡＭ５０３などのメモリに記憶されている車両情報を読み出して、所定の種類の燃料のみの供給を許可する燃料許可信号を生成する。
【００７０】
より具体的には、生成部７０２は、取得部７０４によって取得された情報から特定される燃料の種類が軽油であった場合、軽油のみの供給を許可する燃料許可信号を生成することとなる。そして、送信部７０３により、生成部７０２によって生成された軽油のみの供給を許可する燃料供給許可信号を燃料供給システム１００へ送信する。
【００７１】
このように、ＩＣタグから取得された情報によって特定される種類の燃料についてのみの供給を許可することにより、人的ミスによる誤給油を防ぐことができる。
【００７２】
認証情報取得部７０５は、燃料供給作業者が所定箇所に接触する行為と連動して入力された、当該燃料供給作業者に関する認証情報を取得する機能を有する。具体的には、たとえば、認証情報取得部７０５は、生体情報センサ１０３に入力された各燃料供給作業者の生体情報を認証情報として、生体情報センサ１０３から取得する。
【００７３】
認証情報取得部７０５によって取得された認証情報は、ＲＯＭ５０２やＲＡＭ５０３などのメモリに記憶される。また、認証情報取得部７０５は、各燃料供給作業者が保持する磁気エンコード、バーコード、ＩＣチップなどが付されたＩＤカードなどから認証情報を読み取る機能を有することとしてもよい。
【００７４】
また、送信部７０３は、認証情報取得部７０５によって取得された認証情報を含む利用者識別情報を、燃料供給作業者を認証する認証サーバ１０２に送信する機能を有する。具体的には、送信部７０３は、ＲＯＭ５０２やＲＡＭ５０３などのメモリに記憶されている認証情報を読み出して、当該認証情報を含む利用者識別情報を認証サーバ１０２に送信する。
【００７５】
利用者識別情報は、認証サーバ１０２において実行される燃料供給作業者の認証処理に利用される情報である。具体的には、たとえば、利用者識別情報は、認証情報取得部７０５によって取得された認証情報である。また、利用者識別情報は、認証情報取得部７０５によって取得された認証情報と、取得部７０４によって取得されたＩＣタグの情報と、を関連付けた情報であってもよい。
【００７６】
より具体的には、利用者識別情報は、生体情報センサ１０３に入力された生体情報と、燃料キャップに設けられたＲＦＩＤタグ３００から取得された利用者ＩＤと、を関連付けた情報であってもよい。なお、利用者識別情報は、生成部７０２により、認証情報取得部７０５および取得部７０４によって取得された情報に基づいて生成されることとしてもよい。
【００７７】
また、生成部７０２は、送信部７０３によって利用者識別情報が送信された結果、受信部７０６によって認証サーバ１０２から燃料供給作業者の正当性を証明する認証結果が受信され、かつ、検知部７０１によって燃料供給作業者が所定箇所に接触したことが検知された場合に、燃料許可信号を生成する機能を有する。
【００７８】
これにより、燃料供給システム１００では、燃料供給作業者に帯電している静電気が除去され、かつ、燃料供給作業者が認証された場合に、当該燃料供給作業者による燃料の供給が許可されることとなる。
【００７９】
なお、ここでは、燃料供給作業者に関する認証処理を認証サーバ１０２において実行することとしたが、燃料供給システム制御装置７００において実行することとしてもよい。また、認証サーバ１０２では、生体情報についてのみの認証を実行し、利用者ＩＤについての認証は燃料供給システム制御装置７００において実行することとしてもよい。
【００８０】
具体的には、たとえば、認証サーバ１０２は、生体情報について燃料供給作業者を認証した場合、この生体情報と関連付けられて認証情報ＤＢ１０４に格納されている利用者ＩＤを燃料供給システム制御装置７００に送信する。このあと、燃料供給システム制御装置７００は、ＲＦＩＤタグ３００に格納されている利用者ＩＤと、認証サーバ１０２から送信されてくる利用者ＩＤとを照合し、燃料供給作業者を認証する。
【００８１】
着脱検知部７０７は、車両の給油口に対する燃料キャップの着脱を検知する機能を有する。具体的には、着脱検知部７０７は、給油装置１０１の適宜位置に設けられたキャップセンサ７３０から送信されてくる検知結果に基づいて燃料キャップの着脱を検知する。
【００８２】
より具体的には、たとえば、給油装置１０１には、車両の燃料キャップを載置するキャップ置場が設けられている。キャップセンサ７３０は、このキャップ置場に車両の燃料キャップが載置されたか否かを検知することができるセンサである。たとえば、キャップセンサ７３０は、キャップ置場に載置された物体の重量を測定することにより、燃料キャップが載置されたことを検知する。着脱検知部７０７によって検知された検知結果は、ＲＯＭ５０２やＲＡＭ５０３などのメモリに記憶される。
【００８３】
また、着脱検知部７０７は、車両に搭載されている車載器と無線による通信（たとえば、Ｂｌｕｅｔｏｏｔｈ（登録商標））をおこなうことにより、燃料キャップの着脱を検知する機能を有していてもよい。具体的には、たとえば、着脱検知部７０７は、車載器から燃料キャップの脱着を示す通知信号を受信した場合に燃料キャップの脱着を検知する。
【００８４】
なお、燃料キャップの脱着とは、完全に給油口から燃料キャップが取り外された状態であってもよく、また、車両の燃料タンク内の圧力変化が生じた状態であってもよい。また、燃料キャップの装着とは、完全に給油口に燃料キャップが取り付けられた状態、すなわち、燃料タンク内の密閉状態を保持可能な状態である。
【００８５】
報知部７０８は、着脱検知部７０７によって燃料キャップの脱着が検知された時点で、検知部７０１によって燃料供給作業者が所定箇所に接触したことが検知されていない場合、燃料供給作業者に静電気の除去を促す情報を報知する機能を有する。
【００８６】
具体的には、ＣＰＵ５０１により、着脱検知部７０７によって燃料キャップの脱着が検知された時点で、検知部７０１によって燃料供給作業者が所定箇所に接触したことが検知されていないと判断された場合に、報知部７０８は、ＨＤ５０５などの記録媒体に予め記録されている報知情報を読み出して出力する。
【００８７】
より具体的には、報知部７０８は『静電気が除去されていません。次回以降は注意してください。』などの音声警告を図示しないスピーカから出力してもよく、また、同様の内容の表示警告をディスプレイ５０６に表示してもよい。これにより、次回以降の給油時に、燃料供給作業者が燃料キャップの脱着前に静電気対策をおこなうように注意喚起することができる。
【００８８】
また、生成部７０２は、着脱検知部７０７によって燃料キャップの装着が検知された場合、燃料の供給に関する料金の精算を許可する精算許可信号を生成する機能を有する。すなわち、給油口が開放されている状態から、燃料キャップが装着されることにより密閉された状態となった場合に精算許可信号を生成する。なお、生成部７０２によって生成された精算許可信号はＲＯＭ５０２やＲＡＭ５０３などのメモリに記憶される。
【００８９】
送信部７０３は、生成部７０２によって生成された精算許可信号を燃料供給システム１００へ送信する機能を有する。具体的には、送信部７０３は、ＲＯＭ５０２やＲＡＭ５０３などのメモリに記憶されている精算許可信号を読み出して、当該精算許可信号を燃料供給システム１００へ送信する。
【００９０】
より具体的には、たとえば、送信部７０３は、燃料供給システム１００における料金の精算をおこなう図示しない精算機に精算許可信号を送信する。これにより、燃料キャップの装着が完了していない場合には、燃料供給作業者が精算をおこなうことができないこととなり、燃料キャップの閉め忘れを防止することができる。
【００９１】
なお、検知部７０１、生成部７０２、送信部７０３、取得部７０４、認証情報取得部７０５、受信部７０６、着脱検知部７０７および報知部７０８は、具体的には、たとえば、図５に示したＲＯＭ５０２、ＲＡＭ５０３、ＨＤ５０５などの記録媒体に記録されているプログラムをＣＰＵ５０１に実行させることによって、またはＩ／Ｆ５０７によって、その機能を実現する。
【００９２】
つぎに、認証サーバ１０２は、認証情報ＤＢ１０４と、受信部７１１と、認証部７１２と、送信部７１３と、から構成されている。受信部７１１は、給油装置１０１の燃料供給システム制御装置７００から送信されてくる利用者識別情報を受信する機能を有する。受信部７１１によって受信された利用者識別情報は、ＲＯＭ６０２やＲＡＭ６０３などのメモリに記憶される。
【００９３】
認証部７１２は、受信部７１１によって受信された利用者識別情報と、認証情報ＤＢ１０４に格納されている認証情報とに基づいて燃料供給作業者を認証する。具体的には、認証部７１２は、ＲＯＭ６０２やＲＡＭ６０３などのメモリに記憶されている利用者識別情報を読み出すとともに、認証情報ＤＢ１０４から認証情報を読み出す。
【００９４】
そして、認証部７１２は、利用者識別情報に含まれている認証情報と、認証情報ＤＢ１０４から読み出した認証情報とを照合し、一致する認証情報を検索する。このとき、一致する認証情報が検索された場合に、燃料供給作業者の正当性が証明されることとしてもよい。
【００９５】
より具体的には、認証部７１２は、利用者識別情報に含まれている燃料供給作業者の生体情報と、認証情報ＤＢ１０４に格納されている生体情報とを照合し、一致する生体情報を検索する。このとき、一致する生体情報が検索された場合に、燃料供給作業者の正当性が証明される。
【００９６】
また、利用者識別情報に利用者ＩＤが含まれている場合には、認証部７１２は、さらに、利用者識別情報に含まれる利用者ＩＤと、検索された生体情報に関連付けられて格納されている利用者ＩＤとを照合し、一致する場合に、燃料供給作業者の正当性を証明することとなる。
【００９７】
たとえば、利用者識別情報に含まれている認証情報が生体情報２１０であった場合、認証部７１２は、この生体情報２１０と認証情報ＤＢ１０４に格納されている生体情報とを照合する。その結果、認証部７１２により、燃料供給作業者が利用者ＩＤ「Ａ−０１２３４」によって識別される利用者として証明される。
【００９８】
さらに、利用者ＩＤ「Ａ−０１２３４」および生体情報２１０に関連付けられているクレジットカード番号を用いて、クレジットカードの利用が可能か否かをクレジットカード会社の端末に問い合わせるようにしてもよい。この場合、クレジットカードの利用に関する問い合わせ結果も認証結果に含まれることとなる。認証部７１２によって認証された認証結果は、ＲＯＭ６０２やＲＡＭ６０３などのメモリに記憶される。
【００９９】
送信部７１３は、認証部７１２によって認証された認証結果を、給油装置１０１の燃料供給システム制御装置７００に送信する機能を有する。具体的には、送信部７１３は、ＲＯＭ６０２やＲＡＭ６０３などのメモリに記憶されている認証結果を読み出して、当該認証結果を燃料供給システム制御装置７００に送信する。
【０１００】
なお、受信部７１１、認証部７１２、送信部７１３は、具体的には、たとえば、図６に示したＲＯＭ６０２、ＲＡＭ６０３、ＨＤ６０５などの記録媒体に記録されているプログラムをＣＰＵ６０１に実行させることによって、またはＩ／Ｆ６０９によって、その機能を実現する。
【０１０１】
（燃料供給システムの燃料供給処理手順）
つぎに、この発明の実施の形態にかかる燃料供給システム１００における燃料供給処理手順について説明する。図８は、この発明の実施の形態にかかる燃料供給システム１００における燃料供給処理手順を示すフローチャートである。以下、ガソリンスタンド内の給油装置１０１の停止位置に停車している車両に燃料を供給するときの燃料供給処理手順について説明する。
【０１０２】
図８のフローチャートにおいて、まず、給油装置１０１は、燃料供給システム制御装置７００の着脱検知部７０７により、車両の給油口に対する燃料キャップの脱着が検知されたか否かを判断する（ステップＳ８０１）。
【０１０３】
ここで、燃料キャップの脱着が検知されていない場合（ステップＳ８０１：Ｎｏ）、燃料供給システム制御装置７００の検知部７０１により、燃料供給作業者が所定箇所に接触したことが検知されたか否かを判断する（ステップＳ８０２）。このとき、燃料供給作業者が所定箇所に接触したことが検知されなかった場合（ステップＳ８０２：Ｎｏ）、ステップＳ８０１に戻る。
【０１０４】
また、燃料供給作業者が所定箇所に接触したことが検知された場合（ステップＳ８０２：Ｙｅｓ）、燃料供給システム制御装置７００の着脱検知部７０７により、車両の給油口に対する燃料キャップの脱着が検知されたか否かを判断する（ステップＳ８０３）。
【０１０５】
なお、ステップＳ８０２において、燃料供給作業者が所定箇所に接触したことが検知された場合（ステップＳ８０２：Ｙｅｓ）、認証情報取得部７０５により、燃料供給作業者が所定箇所に接触する行為と連動して入力された、当該燃料供給作業者の生体情報が取得されることとなる。
【０１０６】
ステップＳ８０３において、燃料キャップの脱着が検知されるのを待って（ステップＳ８０３：Ｎｏ）、検知された場合（ステップＳ８０３：Ｙｅｓ）、燃料供給システム制御装置７００の取得部７０４により、燃料キャップに設けられたＲＦＩＤタグ３００から車両情報を取得する（ステップＳ８０４）。
【０１０７】
また、ステップＳ８０１において、燃料キャップの脱着が検知された場合（ステップＳ８０１：Ｙｅｓ）、燃料供給システム制御装置７００の報知部７０８により、燃料供給作業者に静電気の除去を促す情報を報知して（ステップＳ８０５）、ステップＳ８０４に移行する。
【０１０８】
つぎに、燃料供給システム制御装置７００の生成部７０２により、認証情報取得部７０５によって取得された燃料供給作業者の生体情報を含む利用者識別情報を生成し（ステップＳ８０６）、送信部７０３により、生成した利用者識別情報を認証サーバ１０２に送信する（ステップＳ８０７）。
【０１０９】
このあと、認証サーバ１０２は、認証部７１２により、燃料供給作業者に関する認証処理を実行し（ステップＳ８２１）、送信部７１３により、認証結果を給油装置１０１の燃料供給システム制御装置７００に送信する（ステップＳ８２２）。ステップＳ８２１における認証処理の具体的処理については図９を用いて後述する。
【０１１０】
つぎに、燃料供給システム制御装置７００は、受信部７０６によって受信された認証サーバ１０２からの認証結果に基づいて、燃料供給作業者の正当性が証明されたか否かを判断する（ステップＳ８０８）。
【０１１１】
ここで、燃料供給作業者の正当性が証明された場合（ステップＳ８０８：Ｙｅｓ）、生成部７０２により、ステップＳ８０４において取得された車両情報に基づいて、燃料供給システム１００が燃料の供給を許可する燃料供給許可信号を生成し（ステップＳ８０９）、送信部７０３により、生成された燃料供給許可信号を燃料供給システム１００へ送信する（ステップＳ８１０）。
【０１１２】
最後に、燃料の供給に関する料金の精算処理を実行し（ステップＳ８１１）、本フローチャートによる一連の処理を終了する。精算処理の具体的処理については図１０を用いて後述する。
【０１１３】
また、ステップＳ８０８において、燃料供給作業者の正当性が証明されなかった場合（ステップＳ８０８：Ｎｏ）、報知部７０８により、正当性が証明されなかった旨を燃料供給作業者に報知して（ステップＳ８１２）、本フローチャートによる一連の処理を終了する。
【０１１４】
具体的には、たとえば、報知部７０８は、ＨＤ５０５などの記録媒体に予め記録されている『認証できませんでした。給油をおこなうことはできません。』などの音声データを読み出して、図示しないスピーカから音声出力する。また、生体情報センサ１０３への生体情報の入力を再度おこなうことを促す警告を音声出力することとしてもよい。
【０１１５】
また、ステップＳ８０３において、一定時間、燃料キャップの脱着が検知されなかった場合（ステップＳ８０３：Ｎｏ）、報知部７０８により、燃料キャップのキャップ置場への載置を燃料供給作業者に促す警告を報知するようにしてもよい。具体的には、たとえば、報知部７０８は、ＨＤ５０５などの記録媒体に予め記録されている『燃料キャップをキャップ置場に載置してください。』などの音声データを読み出して、図示しないスピーカから音声出力する。
【０１１６】
なお、ステップＳ８０１の処理の前に、給油条件の入力を受け付ける処理を追加することとしてもよい。具体的には、燃料供給作業者は、給油装置１０１の操作パネル５０８を操作することにより、燃料供給作業に関する各種の条件を入力することができる。
【０１１７】
入力される条件は、たとえば、上述したＲＦＩＤタグ３００に格納されている燃料の油種、給油量および精算料金の支払い方法などである。また、現金による支払い方法を利用する場合には、このとき、現金の支払いをおこなう。
【０１１８】
（認証サーバ１０２の認証処理手順）
つぎに、図８のステップＳ８２１に示した認証サーバ１０２の認証処理手順について説明する。図９は、この発明の実施の形態にかかる認証サーバ１０２の認証処理手順を示すフローチャートである。
【０１１９】
図９において、まず、認証サーバ１０２は、受信部７１１により、燃料供給システム制御装置７００から利用者識別情報を受信する（ステップＳ９０１）。つぎに、認証部７１２により、利用者識別情報に含まれている認証情報と、認証情報ＤＢ１０４に格納されている認証情報とを照合し、一致するか否かを判断する（ステップＳ９０２）。
【０１２０】
ここで、一致する場合（ステップＳ９０２：Ｙｅｓ）、認証成功を示す認証結果を出力し（ステップＳ９０３）、図８に示すステップＳ８２２に移行する。また、一致しない場合（ステップＳ９０２：Ｎｏ）、認証失敗を示す認証結果を出力し（ステップＳ９０４）、図８に示すステップＳ８２２に移行する。
【０１２１】
また、ステップＳ９０２において、認証情報が一致した場合（ステップＳ９０２：Ｙｅｓ）には、認証情報ＤＢ１０４に格納されているクレジットカード番号を用いて、クレジットカード会社の端末にクレジットカードの利用の可否を問い合わせる処理を実行するようにしてもよい。この場合、問い合わせ結果を含む認証結果を出力することとなる。
【０１２２】
（燃料供給システム制御装置７００の精算処理手順）
つぎに、図８のステップＳ８１１に示した燃料供給システム制御装置７００の精算処理手順について説明する。図１０は、この発明の実施の形態にかかる燃料供給システム制御装置７００の認証処理手順を示すフローチャートである。
【０１２３】
図１０において、ステップＳ８１０のあと、燃料供給システム制御装置７００の着脱検知部７０７により、車両の給油口に対する燃料キャップの装着が検知されたか否かを判断する（ステップＳ１００１）。
【０１２４】
ここで、燃料キャップの装着が検知されなかった場合（ステップＳ１００１：Ｎｏ）、報知部７０８により、燃料キャップの装着を促す旨を燃料供給作業者に報知して（ステップ１００２）、ステップＳ１００１に戻る。
【０１２５】
具体的には、たとえば、報知部７０８は、ＨＤ５０５などの記録媒体に予め記録されている『燃料キャップを車両の給油口に装着してください。』などの音声データを読み出して、図示しないスピーカから音声出力する。
【０１２６】
ステップＳ１００１において、燃料キャップの装着が検知された場合（ステップＳ１００１：Ｙｅｓ）、生成部７０２により、燃料の供給に関する料金の精算を許可する精算許可信号を生成し（ステップＳ１００３）、送信部７０３により、生成された精算許可信号を燃料供給システム１００に送信して（ステップＳ１００４）、本フローチャートによる一連の処理を終了する。
【０１２７】
具体的には、送信部７０３により、燃料供給システム１００の精算機に精算許可信号が送信され、このあと、精算機おいて、供給された燃料の油種および給油量に応じた精算金額を出力することとなる。
【０１２８】
このとき、図８に示すステップＳ８０４において取得された車両情報に支払い方法としてクレジットカードに関する情報が含まれており、さらに、認証サーバ１０２から送信されてくる認証結果にクレジットカードによる支払いが可能であることを示す情報が含まれている場合には、自動的にクレジット決済が実行されることとしてもよい。
【０１２９】
このように、この発明の実施の形態にかかる燃料供給システム１００によれば、車両への燃料供給作業に先立っておこなわれる生体情報の入力行為と連動して、燃料供給作業者に帯電している静電気を除去することができる。
【０１３０】
このため、燃料供給作業者に帯電している静電気を適切に除去することができ、当該静電気が原因となって発生する車両火災を低減させることができ、安全性の向上を図ることができる。
【０１３１】
また、燃料供給作業者による生体情報の入力行為がおこなわれる前に燃料キャップが開けられた場合には、静電気対策がおこなわれていないことを燃料供給作業者に報知することができる。これにより、次回以降の燃料供給作業時に、燃料キャップを開ける前に静電気除去対策をおこなうように注意喚起することができ、安全性の向上を図ることができる。
【０１３２】
また、燃料キャップに設けられているＲＦＩＤタグ３００から燃料供給時に必要となる各種情報を取得することができるため、燃料供給作業者による入力操作が不要となり、燃料供給作業者の利便性の向上を図ることができる。
【０１３３】
さらに、ＲＦＩＤタグ３００に格納されている車両情報から特定される種類の燃料の供給のみを許可することにより、燃料供給作業者の入力ミスなどによる誤給油を防ぐことができ、安全性の向上を図ることができる。
【０１３４】
また、燃料キャップが車両の給油口に装着された場合に、燃料の供給に関する料金の精算を許可することができる。これにより、燃料供給作業後の燃料キャップの閉め忘れを防止することができ、安全性の向上を図ることができる。
【０１３５】
また、燃料供給作業者によって入力される生体情報により、その燃料供給作業者を認証することができる。このため、正当性が証明されていない利用者による燃料の供給を禁止することができ、盗難防止などの防犯に役立てることができる。
【０１３６】
さらに、クレジットカード番号や銀行の口座番号などの秘匿性を有する個人情報を、各利用者の生体情報を用いて管理することができるため、安全な情報管理を実現することができる。また、各車両の車種や積算給油量に応じて燃料に関する環境税などの税率が変化する場合に、各利用者の生体情報と関連付けてこれらの情報を管理することにより、利用者による車検証などの提示が不要となり、利用者の利便性の向上を図ることができる。
【０１３７】
なお、操作パネル５０８の表面を導電性部材によって形成することにより、燃料供給作業者による操作パネル５０８への操作入力時に、燃料供給作業者に帯電している静電気の除去がおこなわれるようにしてもよい。これにより、燃料供給作業者に帯電している静電気を、より確実に除去することができる。
【０１３８】
（通行規制装置の機能的構成）
つぎに、この発明の実施の形態にかかる通行規制装置の機能的構成について説明する。なお、この発明の実施の形態にかかる通行規制装置のハードウェア構成については、上述したコンピュータ装置のハードウェア構成と同様のため、ここでは図示および説明を省略する。
【０１３９】
図１１は、この発明の実施の形態にかかる通行規制装置１１００の機能的構成を示すブロック図である。図１１において、通行規制装置１１００は、静電気除去部１１０１と、検知部１１０２と、取得部１１０３と、規制部１１０４と、制御部１１０５と、から構成されている。
【０１４０】
通行規制装置１１００は、たとえば、空気中の粒子状物質が一定のレベルに管理された空間への通行を規制するコンピュータ装置である。具体的には、半導体の製造工場などにおける、極めて高度な防塵設備を施したクリーンルームへのユーザの通行を規制するものである。
【０１４１】
静電気除去部１１０１は、ユーザに帯電している静電気を除去する機能を有する。静電気除去部１１０１は、たとえば、導電性を有した金属部材であり、アース線を介してグラウンドに接地（アース）されている。この静電気除去部１１０１に、ユーザの身体の一部が近接または接触することによってユーザに帯電している静電気が除去されることとなる。
【０１４２】
検知部１１０２は、ユーザが静電気除去部１１０１を利用したことを検知する機能を有する。具体的には、検知部１１０２は、一定範囲内に存在する物体を検知するセンサなどであり、ユーザの身体の一部が静電気除去部１１０１に近接または接触したことを検知する。検知部１１０２によって検知された結果は、ＲＯＭ５０２やＲＡＭ５０３などのメモリに記憶される。
【０１４３】
取得部１１０３は、ユーザの入力行為により当該ユーザに関する認証情報を取得する機能を有する。取得部１１０３は、ユーザの入力行為により、たとえば、ユーザの指紋や手のひら静脈などの生体情報を取得する。また、磁気エンコード、バーコード、ＩＣチップなどが付されたＩＤカードなどから認証情報を取得することとしてもよい。取得部１１０３によって取得された認証情報は、ＲＯＭ５０２やＲＡＭ５０３などのメモリに記憶される。
【０１４４】
また、静電気除去部１１０１は、認証情報の取得に関するユーザの入力行為と連動して、当該ユーザに帯電している静電気を除去することとしてもよい。具体的には、たとえば、認証情報の取得に関するユーザの入力行為がおこなわれた際に、ユーザの身体の一部が静電気除去部１１０１に近接または接触する位置に静電気除去部１１０１と取得部１１０３とを併設する。
【０１４５】
これにより、ユーザによる認証情報の入力行為がおこなわれた際には、必ずユーザに帯電している静電気が除去されることとなる。このため、検知部１１０２は、取得部１１０３によってユーザに関する認証情報が取得された場合に、ユーザが静電気除去部１１０１を利用したことを検知する構成としてもよい。
【０１４６】
規制部１１０４は、ユーザの通行を規制する機能を有する。具体的には、規制部１１０４は、クリーンルームなどへのユーザの入退出を規制するドアや遮断機などである。
【０１４７】
制御部１１０５は、取得部１１０３によって認証情報が取得された結果、ユーザが認証され、かつ、検知部１１０２によってユーザが静電気除去部１１０１を利用したことが検知された場合、規制部１１０４を制御してユーザの通行を許可する機能を有する。
【０１４８】
すなわち、ユーザは、静電気除去部１１０１に近接または接触する行為とともに、認証情報を入力する行為をおこなった結果、認証された場合、通行が規制されているクリーンルームなどへの通行が許可されることとなる。
【０１４９】
ここで実行される認証処理は、通行規制装置１１００において実行されてもよく、また、取得部１１０３によって取得された認証情報を認証サーバなどに送信し、その認証結果を受信することとしてもよい。
【０１５０】
なお、検知部１１０２、取得部１１０３、規制部１１０４および制御部１１０５は、具体的には、たとえば、図５に示したＲＯＭ５０２、ＲＡＭ５０３、ＨＤ５０５などの記録媒体に記録されているプログラムをＣＰＵ５０１に実行させることによって、またはＩ／Ｆ５０７によって、その機能を実現する。
【０１５１】
（通行規制装置１１００の通行規制処理手順）
つぎに、この発明の実施の形態にかかる通行規制装置１１００において実行される通行規制処理手順について説明する。図１２は、この発明の実施の形態にかかる通行規制装置１１００において実行される通行規制処理手順を示すフローチャートである。
【０１５２】
図１２のフローチャートにおいて、まず、通行規制装置１１００は、検知部１１０２により、通行が規制されているユーザが、当該ユーザに帯電している静電気を除去する静電気除去部１１０１を利用したことが検知されたか否かを判断する（ステップＳ１２０１）。
【０１５３】
ここで、静電気除去部１１０１が利用されるのを待って（ステップＳ１２０１：Ｎｏ）、静電気除去部１１０１が利用された場合（ステップＳ１２０１：Ｙｅｓ）、取得部１１０３により、ユーザの入力行為により当該ユーザに関する認証情報を取得したか否かを判断する（ステップＳ１２０２）。
【０１５４】
ステップＳ１２０２において、認証情報が取得されるのを待って（ステップＳ１２０２：Ｎｏ）、認証情報が取得された場合（ステップＳ１２０２：Ｙｅｓ）、ユーザが認証されたか否かを判断する（ステップＳ１２０３）。認証処理は、通行規制装置１１００において実行されてもよく、また、認証サーバ（たとえば、認証サーバ１０２）などの他の装置において実行されることとしてもよい。
【０１５５】
なお、通行規制装置１１００において認証処理を実行する場合には、予め記録されているユーザの認証情報と、ステップＳ１２０２において取得された認証情報とを照合し、同一人物であるか否かを認証する。
【０１５６】
ステップＳ１２０３において、ユーザが認証された場合（ステップＳ１２０３：Ｙｅｓ）、ユーザの通行を許可して（ステップＳ１２０４）、本フローチャートによる一連の処理を終了する。具体的には、制御部１１０５によって、規制部１１０４を制御することにより通行を規制しているドアや遮断機などを開放し、ユーザの通行を許可する。
【０１５７】
また、ステップＳ１２０３において、ユーザが認証されなかった場合（ステップＳ１２０３：Ｎｏ）、図示しない報知部により、その旨をユーザに報知して（ステップＳ１２０５）、ステップＳ１２０２に戻る。具体的には、『認証できません。認証情報を再度入力してください。』などの音声警告を出力して、ユーザに認証できないことを報知する。
【０１５８】
なお、認証情報の取得に関するユーザの入力行為と連動して、当該ユーザに帯電している静電気を静電気除去部１１０１により除去する場合には、ステップＳ１２０１における処理を省略することができる。すなわち、認証情報の取得に関するユーザの入力行為と連動して、ユーザに帯電している静電気が除去されることとなるため、ステップＳ１２０１における処理が不要となる。
【０１５９】
このように、この発明の実施の形態にかかる通行規制装置１１００によれば、ユーザによる認証情報の入力行為と連動して、適切にユーザに帯電している静電気を除去することができる。これにより、静電気対策忘れを防止するとともに、静電気を除去するための煩わしい作業が不要となり、ユーザの利便性の向上を図ることができる。
【０１６０】
また、ユーザに帯電している静電気を適切に除去することにより、クリーンルームなどにおける静電気が原因となり発生する不具合を防止することができ、歩留まりの向上を実現することができる。
【０１６１】
以上説明したように、燃料供給制御プログラム、該プログラムを記録した記録媒体、燃料供給システム制御装置および燃料供給システム制御方法によれば、人体に帯電している静電気を適切に除去することができる。
【０１６２】
なお、本実施の形態で説明した燃料供給システム制御方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【０１６３】
（付記１）燃料供給作業者が所定箇所に接触することによって、当該燃料供給作業者に帯電している静電気を除去する静電気除去装置を備えた燃料供給システムの制御をコンピュータに実行させる燃料供給制御プログラムであって、
前記燃料供給作業者が前記所定箇所に接触したことを検知させる検知工程と、
前記検知工程によって検知された結果に基づいて、前記燃料供給システムが燃料の供給を許可する燃料供給許可信号を生成させる生成工程と、
前記生成工程によって生成された燃料供給許可信号を前記燃料供給システムへ送信させる送信工程と、
を前記コンピュータに実行させることを特徴とする燃料供給制御プログラム。
【０１６４】
（付記２）燃料キャップに設けられたＩＣタグの情報を取得させる取得工程を前記コンピュータに実行させ、
前記生成工程は、
前記取得工程によって取得された情報のうち、受給可能な燃料の種類に関する情報に基づいて、所定の種類の燃料のみの供給を許可する燃料供給許可信号を生成させることを特徴とする付記１に記載の燃料供給制御プログラム。
【０１６５】
（付記３）前記燃料供給作業者が所定箇所に接触する行為と連動して入力された、当該燃料供給作業者に関する認証情報を取得させる認証情報取得工程と、
前記認証情報取得工程によって取得された認証情報を含む利用者識別情報を、前記燃料供給作業者を認証する認証サーバに送信させる認証情報送信工程と、
前記認証情報送信工程によって前記利用者識別情報が送信された結果、前記認証サーバから前記燃料供給作業者の認証結果を受信させる受信工程と、
を前記コンピュータに実行させ、
前記生成工程は、
前記受信工程によって前記燃料供給作業者の正当性を証明する認証結果が受信され、かつ、前記検知工程によって前記燃料供給作業者が前記所定箇所に接触したことが検知された場合に、前記燃料供給許可信号を生成させることを特徴とする付記１または２に記載の燃料供給制御プログラム。
【０１６６】
（付記４）車両の給油口に対する前記燃料キャップの脱着を検知させる脱着検知工程と、
前記脱着検知工程によって前記燃料キャップの脱着が検知された時点で、前記検知工程によって前記燃料供給作業者が前記所定箇所に接触したことが検知されていない場合、前記燃料供給作業者に静電気の除去を促す情報を報知させる報知工程と、
を前記コンピュータに実行させることを特徴とする付記２または３に記載の燃料供給制御プログラム。
【０１６７】
（付記５）前記車両の給油口に対する前記燃料キャップの装着を検知させる装着検知工程と、
前記装着検知工程によって前記燃料キャップの装着が検知された場合、前記燃料の供給に関する料金の精算を許可する精算許可信号を生成させる精算許可信号生成工程と、
前記精算許可信号生成工程によって生成された精算許可信号を前記燃料供給システムへ送信させる精算許可信号送信工程と、
を前記コンピュータに実行させることを特徴とする付記４に記載の燃料供給制御プログラム。
【０１６８】
（付記６）付記１〜５のいずれか一つに記載の燃料供給制御プログラムを記録した前記コンピュータに読み取り可能な記録媒体。
【０１６９】
（付記７）燃料供給作業者が所定箇所に接触することによって、当該燃料供給作業者に帯電している静電気を除去する静電気除去装置を備えた燃料供給システムを制御する燃料供給システム制御装置であって、
前記燃料供給作業者が前記所定箇所に接触したことを検知する検知手段と、
前記検知手段によって検知された結果に基づいて、前記燃料供給システムが燃料の供給を許可する燃料供給許可信号を生成する生成手段と、
前記生成手段によって生成された燃料供給許可信号を前記燃料供給システムへ送信する送信手段と、
を備えたことを特徴とする燃料供給システム制御装置。
【０１７０】
（付記８）燃料供給作業者が所定箇所に接触することによって、当該燃料供給作業者に帯電している静電気を除去する静電気除去装置を備えた燃料供給システムを制御する燃料供給システム制御方法であって、
前記燃料供給作業者が前記所定箇所に接触したことを検知する検知工程と、
前記検知工程によって検知された結果に基づいて、前記燃料供給システムが燃料の供給を許可する燃料供給許可信号を生成する生成工程と、
前記生成工程によって生成された燃料供給許可信号を前記燃料供給システムへ送信する送信工程と、
を含んだことを特徴とする燃料供給システム制御方法。
【０１７１】
（付記９）通行が規制されているユーザが、アースされた導電性部材に近接または接触する行為とともに、前記ユーザの認証情報を入力する行為をおこなった場合、前記認証情報を取得させる取得工程と、
前記取得工程によって取得された認証情報により前記ユーザが認証された場合、前記ユーザの通行を許可させる許可工程と、
をコンピュータに実行させることを特徴とする通行規制プログラム。
【０１７２】
（付記１０）付記９に記載の通行規制プログラムを記録した前記コンピュータに読み取り可能な記録媒体。
【０１７３】
（付記１１）ユーザに帯電している静電気を除去する静電気除去手段と、
前記ユーザが前記静電気除去手段を利用したことを検知する検知手段と、
前記ユーザの入力行為により当該ユーザに関する認証情報を取得する取得手段と、
前記ユーザの通行を規制する規制手段と、
前記取得手段によって前記認証情報が取得された結果、前記ユーザが認証され、かつ、前記検知手段によって前記ユーザが前記静電気除去手段を利用したことが検知された場合、前記規制手段を制御して前記ユーザの通行を許可する制御手段と、
を備えることを特徴とする通行規制装置。
【０１７４】
（付記１２）通行が規制されているユーザが、アースされた導電性部材に近接または接触する行為とともに、前記ユーザの認証情報を入力する行為をおこなった場合、前記認証情報を取得する取得工程と、
前記取得工程によって取得された認証情報により前記ユーザが認証された場合、前記ユーザの通行を許可する許可工程と、
を含んだことを特徴とする通行規制方法。
【産業上の利用可能性】
【０１７５】
以上のように、本発明にかかる燃料供給制御プログラム、該プログラムを記録した記録媒体、燃料供給システム制御装置および燃料供給システム制御方法は静電気除去対策に有用である。
【図面の簡単な説明】
【０１７６】
【図１】この発明の実施の形態にかかる燃料供給システムのシステム構成図である。
【図２】生体情報センサの一例を示す説明図である。
【図３】ＲＦＩＤタグの記憶内容を示す説明図である。
【図４】認証情報ＤＢの記憶内容を示す説明図である。
【図５】コンピュータ装置のハードウェア構成を示すブロック図である。
【図６】認証サーバのハードウェア構成を示すブロック図である。
【図７】この発明の実施の形態にかかる給油装置および認証サーバの機能的構成を示すブロック図である。
【図８】この発明の実施の形態にかかる燃料供給システムにおける燃料供給処理手順を示すフローチャートである。
【図９】この発明の実施の形態にかかる認証サーバの認証処理手順を示すフローチャートである。
【図１０】この発明の実施の形態にかかる燃料供給システム制御装置の認証処理手順を示すフローチャートである。
【図１１】この発明の実施の形態にかかる通行規制装置の機能的構成を示すブロック図である。
【図１２】この発明の実施の形態にかかる通行規制装置において実行される通行規制処理手順を示すフローチャートである。
【符号の説明】
【０１７７】
１００  燃料供給システム
１０１  給油装置
１０２  認証サーバ
１０３  生体情報センサ
１０４  認証情報ＤＢ
１１０  ネットワーク
３００  ＲＦＩＤタグ
７０１，１１０２  検知部
７０２  生成部
７０３  送信部
７０４，１１０３  取得部
７０５  認証情報取得部
７０６  受信部
７０７  着脱検知部
７０８  報知部
１１０１  静電気除去部
１１０４  規制部
１１０５  制御部
【図１】
2008150090.tif 000003
【図２】
2008150090.tif 000004
【図３】
2008150090.tif 000005
【図４】
2008150090.tif 000006
【図５】
2008150090.tif 000007
【図６】
2008150090.tif 000008
【図７】
2008150090.tif 000009
【図８】
2008150090.tif 000010
【図９】
2008150090.tif 000011
【図１０】
2008150090.tif 000012
【図１１】
2008150090.tif 000013
【図１２】
2008150090.tif 000014